(57)【要約】  送信局装置と受信局装置との間で無線通信を行う無線通信システムにおいて、前記送信局装置は、パケットデータを前記受信局装置に送信する送信部と、前記パケットデータが正しく受信できなかったことを示す応答信号を前記受信局装置から受信する受信部とを備え、前記受信局装置は、前記パケットデータを受信する受信部と、前記パケットデータを正しく受信できなかったとき前記応答信号を生成して前記送信局装置に送信する送信部とを備え、前記送信局装置または前記受信局装置は、前記パケットデータをそれぞれ送信または受信したときの通信品質を推定し、推定した前記通信品質が所要品質よりも高いとき、それぞれ前記応答信号を受信したときまたは正しく前記パケットデータを受信できないときでも前記パケットデータの再送を行わないように制御する制御部を備える。
2010109524.tif 000002
【特許請求の範囲】
【請求項１】
送信局装置と受信局装置との間で無線通信を行う無線通信システムにおいて、
前記送信局装置は、
パケットデータを前記受信局装置に送信する送信部と、
前記パケットデータが正しく受信できなかったことを示す応答信号を前記受信局装置から受信する受信部とを備え、  
前記受信局装置は、
前記パケットデータを受信する受信部と、
前記パケットデータを正しく受信できなかったとき前記応答信号を生成して前記送信局装置に送信する送信部とを備え、
前記送信局装置または前記受信局装置は、前記パケットデータをそれぞれ送信または受信したときの通信品質を推定し、推定した前記通信品質が所要品質よりも高いとき、それぞれ前記応答信号を受信したときまたは正しく前記パケットデータを受信できないときでも前記パケットデータの再送を行わないように制御する制御部を備えることを特徴とする無線通信システム。
【請求項２】
前記制御部は、前記パケットデータに対するＡＭＣパラメータ（Adaptive
Modulation Control）を決定するための品質情報に基づいて、前記通信品質を推定することを特徴とする請求項１記載の無線通信システム。  
【請求項３】
前記制御部は、前記パケットデータの再送を行わないことを上位レイヤに通知することを特徴とする請求項１記載の無線通信システム。  
【請求項４】
前記制御部は、前記再送を行わないパケットデータを新規パケットデータとして送信させるよう前記送信部を制御することを特徴とする請求項１記載の無線通信システム。
【請求項５】
前記送信局装置の送信部は、既知信号を送信し、
前記受信局装置の受信部は、前記既知信号を受信し、
前記受信局装置の送信部は、前記パケットデータを復調したときに用いた周波数帯域における既知信号を利用して品質情報を生成し、当該品質情報を前記送信局装置に送信し、
前記制御部は、前記品質情報に基づいて前記通信品質を推定することを特徴とする請求項１記載の無線通信システム。
【請求項６】
前記制御部は、これまでに送信した前記パケットデータの通信品質の合計により、前記通信品質を推定することを特徴とする請求項１記載の無線通信システム。
【請求項７】
前記制御部は、新規パケットのパケットデータを送信したときの通信品質を前記所要品質として推定することを特徴とする請求項１記載の無線通信システム。
【請求項８】
前記送信局装置は基地局装置、前記受信局装置は端末装置であることを特徴とする請求項１記載の無線通信システム。
【請求項９】
前記送信局装置の受信部は、下り方向の通信品質を示す品質情報を前記受信局装置から受信し、
前記送信局装置の制御部は、前記通信品質が前記所要品質より高いとき、前記パケットデータの再送を行わないように前記送信部を制御することを特徴とする請求項８記載の無線通信システム。
【請求項１０】
前記受信局装置は基地局装置、前記送信局装置は端末装置であることを特徴とする請求項１記載の無線通信システム。
【請求項１１】
前記受信局装置の制御部は、前記通信品質が前記所要品質よりも高いとき、前記応答信号を送信しないように、前記受信局装置の送信部を制御することを特徴とする請求項１０記載の無線通信システム。
【請求項１２】
受信局装置との間で無線通信を行う送信局装置において、
パケットデータを前記受信局装置に送信する送信部と、
前記パケットデータが正しく受信できなかったことを示す応答信号を前記受信局装置から受信する受信部と、
前記パケットデータを送信したときの通信品質を推定し、推定した前記通信品質が所要品質よりも高いとき、前記応答信号を受信したときでも前記パケットデータの再送を行わないように制御する制御部と  
を備えることを特徴とする送信局装置。
【請求項１３】
送信局装置との間で無線通信を行う受信局装置において、
前記送信局装置から送信されたパケットデータを受信する受信部と、
前記パケットデータを正しく受信できなかったとき前記応答信号を生成して前記送信局装置に送信する送信部と、
前記パケットデータを受信したときの通信品質を推定し、推定した前記通信品質が所要品質よりも高いとき、前記パケットデータを正しく受信できなかったときでも前記パケットデータの再送を行わないように制御する制御部と
を備えることを特徴とする受信局装置。
【請求項１４】
送信局装置と受信局装置との間で無線通信を行う無線通信システムにおける無線通信方法であって、
前記送信局装置は、パケットデータを前記受信局装置に送信し、
前記受信局装置は、前記パケットデータを正しく受信できなかったとき、正しく受信できなかったことを示す応答信号を生成して前記送信局装置に送信し、
前記送信局装置は、前記応答信号を前記受信局装置から受信し、
前記送信局装置または前記受信局装置は、前記パケットデータをそれぞれ送信または受信したときの通信品質を推定し、推定した前記通信品質が所要品質よりも高いとき、それぞれ前記応答信号を受信したときまたは正しく前記パケットデータを正しく受信できないときでも前記パケットデータの再送を行わないように制御する、
ことを特徴とする無線通信方法。
【発明の詳細な説明】
【技術分野】
【０００１】
本発明は、無線通信システム、送信局装置、受信局装置、及び無線通信システムにおける無線通信方法に関する。
【背景技術】
【０００２】
従来から、無線通信システムにおいてＡＭＣ（Adaptive Modulation and
Coding）制御と呼ばれる技術がある。例えば、端末装置（ＭＳ：Mobile Station）は下り方向の伝搬路の品質を測定し、品質情報を示すＣＱＩ（Channel
Quality Indicator）を基地局装置（ＢＴＳ：Base Transceiver Station）に送信する。基地局装置は、ＣＱＩに基づいて変調方式と誤り訂正の符号化率を選択する。【０００３】
また、無線通信システムにおいて、ＨＡＲＱ（Hybrid
Automatic Repeat request）と呼ばれる技術もある（例えば、以下の非特許文献１及び２）。例えば、端末装置は基地局装置から送信される新規パケットを正しく受信できた場合、ＡＣＫ信号を送信し、正しく受信できなかった場合、ＮＡＣＫ信号を送信する。基地局装置は、ＮＡＣＫ信号を受信すると、パケットを再送する。端末装置は再送パケットとこれまで受信したパケットとを合成し、正しく受信できたか否かを判定する。また、基地局装置は、所定時間経過後も、ＮＡＣＫ信号を受信した場合、再送パケットの送信を停止する。【０００４】
さらに、受信側からＮＡＣＫ信号を受信した場合、送信側は、再送パケットを送信する際に不足している通信品質を推定し、不足した通信品質を満たすように再送パケットを生成し、受信側に送信するようにしたものも開示される（例えば、以下の特許文献１〜４）。  
【非特許文献１】3GPP TS36.321 V8.3.0
【非特許文献２】3GPP TS25.321
【特許文献１】特開２００２‐９７４１号公報
【特許文献２】特開２００３‐２６４８７３号公報
【特許文献３】特開２００２‐５１００３号公報
【特許文献４】特開２００４‐１１２５９７号公報
【発明の開示】
【発明が解決しようとする課題】
【０００５】
しかし、上述した特許文献に開示されたものは、通信品質が不足していない場合で、さらに送信側が受信側からＮＡＣＫを受信した場合に、送信側がどのように処理を行うかは考慮されていない。【０００６】
また、基地局装置がＨＡＲＱによる再送制御を行う場合、基地局装置が再送パケットの送信を所定時間経過後に停止すると、所定時間分だけその後の処理に遅延が生じる。この場合、基地局装置は所定時間内に再送パケットを繰り返し送信しているため、無線リソースが無駄に使用される。【０００７】
そこで、本発明の目的の一つは、遅延防止を図るようにした無線通信システム、送信局装置、受信局装置、及び無線通信システムを提供することにある。【０００８】
また、本発明の他の目的の一つは、無線リソースを有効活用した無線通信システム等を提供することにある。  
【課題を解決するための手段】
【０００９】
一態様によれば、送信局装置と受信局装置との間で無線通信を行う無線通信システムにおいて、前記送信局装置は、パケットデータを前記受信局装置に送信する送信部と、前記パケットデータが正しく受信できなかったことを示す応答信号を前記受信局装置から受信する受信部とを備え、前記受信局装置は、前記パケットデータを受信する受信部と、前記パケットデータを正しく受信できなかったとき前記応答信号を生成して前記送信局装置に送信する送信部とを備え、前記送信局装置または前記受信局装置は、前記パケットデータをそれぞれ送信または受信したときの通信品質を推定し、推定した前記通信品質が所要品質よりも高いとき、それぞれ前記応答信号を受信したときまたは正しく前記パケットデータを受信できないときでも前記パケットデータの再送を行わないように制御する制御部を備える。【００１０】
また、他の態様によれば、受信局装置との間で無線通信を行う送信局装置において、パケットデータを前記受信局装置に送信する送信部と、前記パケットデータが正しく受信できなかったことを示す応答信号を前記受信局装置から受信する受信部と、前記パケットデータを送信したときの通信品質を推定し、推定した前記通信品質が所要品質よりも高いとき、前記応答信号を受信したときでも前記パケットデータの再送を行わないように制御する制御部とを備える。【００１１】
さらに、他の態様によれば、送信局装置との間で無線通信を行う受信局装置において、前記送信局装置から送信されたパケットデータを受信する受信部と、前記パケットデータを正しく受信できなかったとき前記応答信号を生成して前記送信局装置に送信する送信部と、前記パケットデータを受信したときの通信品質を推定し、推定した前記通信品質が所要品質よりも高いとき、前記パケットデータを正しく受信できなかったときでも前記パケットデータの再送を行わないように制御する制御部とを備える。【００１２】
さらに、他の態様によれば、送信局装置と受信局装置との間で無線通信を行う無線通信システムにおける無線通信方法であって、前記送信局装置は、パケットデータを前記受信局装置に送信し、前記受信局装置は、前記パケットデータを正しく受信できなかったとき、正しく受信できなかったことを示す応答信号を生成して前記送信局装置に送信し、前記送信局装置は、前記応答信号を前記受信局装置から受信し、前記送信局装置または前記受信局装置は、前記パケットデータをそれぞれ送信または受信したときの通信品質を推定し、推定した前記通信品質が所要品質よりも高いとき、それぞれ前記応答信号を受信したときまたは正しく前記パケットデータを正しく受信できないときでも前記パケットデータの再送を行わないように制御する。
【発明の効果】
【００１３】
遅延防止を図るようにした無線通信システム、送信局装置、受信局装置、及び無線通信システムを提供できる。また、無線リソースを有効活用した無線通信システム等を提供できる。
【図面の簡単な説明】
【００１４】
【図１】図１は無線通信システムの構成例を示す図である。
【図２】図２は送信局装置（基地局装置）の構成例を示す図である。
【図３】図３は受信局装置（端末装置）の構成例を示す図である。
【図４】図４は動作例を示すフローチャートである。
【図５】図５（Ａ）及び同図（Ｂ）はパケット等の送受信例を示す図である。
【図６】図６（Ａ）及び同図（Ｂ）はパケット等の送受信例を示す図である。
【図７】図７は動作例を示すフローチャートである。
【図８】図８は送信局装置（基地局装置）の構成例を示す図である。
【図９】図９は動作例を示すフローチャートである。
【図１０】図１０（Ａ）及び同図（Ｂ）はパケット等の送受信例を示す図である。
【図１１】図１１は送信局装置（端末装置）の構成例を示す図である。
【図１２】図１２は受信局装置（基地局装置）の構成例を示す図である。
【図１３】図１３は動作例を示すフローチャートである。
【図１４】図１４（Ａ）及び同図（Ｂ）はパケット等の送受信例を示す図である。
【図１５】図１５は受信局装置（基地局装置）の構成例を示す図である。
【符号の説明】
【００１５】
１：無線通信システム                  １０：基地局装置（送信局装置または受信局装置）
１１：第１の誤り検出符号化部          １２：第１の誤り訂正符号化部
１３：バッファ                        １４：第１の変調部
１５：第２の誤り検出符号化部          １６：第２の誤り訂正符号化部
１７：第２の変調部                    ２４：ＡＣＫ／ＮＡＣＫ判定部
２５：ＣＱＩ判定部                    ２６：ＨＡＲＱ制御部
２７：ＡＭＣ制御部                    ２９：ＲＬＣ部
３４：復調部                          ３５：合成部
３６：バッファ                        ３７：誤り訂正復号化部
３８：誤り検出部                      ３９：品質測定部
４０：ｇｒａｎｔ生成部                ４１：ＡＣＫ／ＮＡＣＫ生成部
５０：端末装置（受信局装置または送信局装置）
５３：第１の復調部                    ５４：第１の誤り訂正復号化部
５５：第１の誤り検出部                ５６：制御情報解析部
５７：第２の復調部                    ５８：合成部
５９：バッファ                        ６０：第２の誤り訂正復号化部
６１：第２の誤り検出部                ６２：ＣＱＩ生成部  
６３：ＡＣＫ／ＮＡＣＫ生成部          ６４：変調部  
７０：誤り検出符号化部                ７１：誤り訂正符号化部
７２：バッファ                        ７３：第３の変調部
７４：パイロット信号発生部            ７５：第４の変調部
８２：復調部                          ８３：ＡＣＫ／ＮＡＣＫ判定部
８４：ＨＡＲＱ制御部                  ８５：ｇｒａｎｔ判定部
８６：ＡＭＣ制御部
【発明を実施するための最良の形態】
【００１６】
本発明を実施するための形態について以下説明する。【００１７】
＜第１の実施例＞
第１の実施例について説明する。図１は無線通信システム１の構成例を示す図である。送信局装置１００と受信局装置２００との間で無線通信を行う無線通信システム１において、前記送信局装置１００は、パケットデータを前記受信局装置２００に送信する送信部１１０と、前記パケットデータが正しく受信できなかったことを示す応答信号を前記受信局装置２００から受信する受信部１２０とを備え、前記受信局装置２００は、前記パケットデータを受信する受信部と２１０、前記パケットデータを正しく受信できなかったとき前記応答信号を生成して前記送信局装置１００に送信する送信部２２０とを備え、前記送信局装置１００または前記受信局装置２００は、前記パケットデータをそれぞれ送信または受信したときの通信品質を推定し、推定した前記通信品質が所要品質よりも高いとき、それぞれ前記応答信号を受信したときまたは正しく前記パケットデータを受信できないときでも前記パケットデータの再送を行わないように制御する制御部１３０（２３０）を備える。【００１８】
送信局装置１００の送信部１１０はパケットデータを送信する。受信局装置の受信部２１０はパケットデータを受信し、送信部２２０はパケットデータを正しく受信できなかったとき、正しく受信できなかったことを示す応答信号を送信する。【００１９】
送信局装置１００の受信部１２０は、応答信号を受信する。例えば制御部１３０が送信局装置１００にあるときは以下のようになる。制御部１３０は、送信部１１０からパケットデータを送信したときの通信品質を推定し、その通信品質が所要品質より高かったとき、前記応答信号を受信してもパケットデータの再送を行わないように制御する。【００２０】
一方、制御部２３０が受信局装置２００にあるときは以下のようになる。制御部２３０は、受信部２１０でパケットデータを受信したときの通信品質を推定し、その通信品質が所要品質より高かったとき、パケットデータを正しく受信できないときでも前記パケットデータの再送を行わないように制御する。【００２１】
例えば、送信局装置１００は、パケットデータの再送を行わないように制御するため、規定回数または規定時間に達するまでパケットデータを再送する場合と比較して、遅延を防止することができ、また無線リソースを有効活用できる。【００２２】
また、受信局装置２００は、パケットデータの再送を行わないように制御するため、同様に、遅延防止を図ることができ、また、無線リソースを有効活用できる。【００２３】
＜第２の実施例＞
次に第２の実施例について説明する。第２の実施例は、パケットデータ等が基地局装置（以下、基地局）１０から端末装置（以下、端末）５０に向けて送信される下り方向の例である。送信局装置１００が基地局１０、受信局装置２００が端末５０である。図２は無線通信システム１における基地局（送信局装置１００）１０、図３は端末（受信局装置２００）５０の各構成例をそれぞれ示す図である。【００２４】
基地局１０は、第１の誤り検出符号化部１１と、第１の誤り訂正符号化部１２と、バッファ１３と、第１の変調部１４と、第２の誤り検出符号化部１５と、第２の誤り訂正符号化部１６と、第２の変調部１７と、無線送信部１８と、送信アンテナ１９と、受信アンテナ２１と、無線受信部２２と、復調部２３と、ＡＣＫ／ＮＡＣＫ判定部２４と、ＣＱＩ判定部２５と、ＨＡＲＱ制御部２６と、ＡＭＣ制御部２７とを備える。【００２５】
第１の実施例における送信部１１０は、例えば、誤り検出符号化部１１から送信アンテナ１９に対応する。また、受信部１２０は、例えば、無線受信部２２からＣＱＩ判定部２５に対応する。さらに、制御部１３０はＨＡＲＱ制御部２６に対応する。【００２６】
第１の誤り検出符号化部１１は、パケットデータに対して誤り訂正を行い、符号化を行う。第１の誤り検出符号化部１１は、パケットデータが新規パケットの場合、ＡＭＣ制御部２７により決定されたパケットサイズとなるように当該パケットデータを出力する。【００２７】
第１の誤り訂正符号化部１２は、第１の誤り検出符号化部１１からの出力に対して、誤りがあれば誤り訂正と符号化を行う。第１の誤り訂正符号化部１２は、ＡＭＣ制御部２７により決定された符号化率に基づいて符号化を行う。【００２８】
バッファ１３は、第１の誤り訂正符号化部１２からの符号化されたパケットデータを一時記憶する。記憶されたパケットデータは、ＡＭＣ制御部２７により決定されたビットパターンに従って読みだされる。例えば、バッファ１３は、基地局１０が新規パケットを再送信（以下、再送）するときのためのために、ＡＭＣ制御部２７からの指示があるまで新規パケットのデータを記憶する。【００２９】
第１の変調部１４は、ＡＭＣ制御部２７で決定された変調方式により、バッファ１３からの出力に対して変調を行う。【００３０】
第２の誤り検出符号化部１５は、ＡＭＣ制御部２７で決定された、パケットサイズ、送信ビットパターン、変調方式、送信電力等を含む制御情報に対して、誤り検出と符号化を行う。制御情報は、例えば、新規パケットと再送パケットのそれぞれに対する制御情報がある。【００３１】
第２の誤り訂正符号化部１６は、第２の誤り検出符号化部１５からの出力に対して、誤りがあれば誤り訂正を行い、符号化を行う。【００３２】
第２の変調部１７は、第２の誤り訂正符号化部１６からの出力を変調する。【００３３】
無線送信部１８は、第１及び第２の変調部１４，１７からの出力それぞれに対して、ＡＭＣ制御部２７で決定された送信電力に従って増幅等を行い、無線信号に変換する。例えば、無線送信部１８はパイロット信号（または既知信号）を生成してもよい。【００３４】
送信アンテナ１９は、無線送信部１８からの無線信号を端末５０に送信する。基地局１０からは、新規パケットまたは再送パケット、制御情報、及びパイロット信号等が無線信号として端末５０に送信される。なお、制御情報は、各パケットの送信に先立ち、第２の誤り検出符号化部１５等で処理が行われて端末５０に送信される。【００３５】
受信アンテナ２１は、端末５０から送信されたＡＣＫまたはＮＡＣＫ、及びＣＱＩ等を受信する。【００３６】
復調部２３は、受信アンテナ２１からの出力を復調し、復調されたＡＣＫまたはＮＡＣＫをＡＣＫ／ＮＡＣＫ判定部２４、復調されたＣＱＩをＣＱＩ判定部２５にそれぞれ出力する。【００３７】
ＡＣＫ／ＮＡＣＫ判定部２４は、ＡＣＫまたはＮＡＣＫを判定し、その結果をＨＡＲＱ制御部２６にそれぞれ出力する。【００３８】
ＣＱＩ判定部２５は、ＣＱＩを判定し、判定結果をＨＡＲＱ制御部２６とＡＭＣ制御部２７に出力する。【００３９】
ＨＡＲＱ制御部２６は、ＡＣＫ／ＮＡＣＫ判定部２４からの判定結果と、ＣＱＩ判定部２５からの判定結果とに基づいて、パケットを新規で送信するかまたは再送するか等を判定し、その結果をＡＭＣ制御部２７に通知する。詳細は後述する。ＨＡＲＱ制御部２６は、ＣＱＩ判定部２５からの結果（例えば、ＣＱＩ）に基づいて、例えば、パケットデータを送信したときの通信品質を推定する。【００４０】
ＡＭＣ制御部２７は、ＣＱＩ判定部２５からの判定結果と、ＨＡＲＱ制御部２６から出力された新規送信または再送信の指示とに基づいて、新規パケットまたは再送パケットに対する制御情報を決定する。ＡＭＣ制御部２７は、決定した送信ビットパターンをバッファ１３、決定した変調方式を第１の変調部１４、決定した送信電力を無線送信部１８にそれぞれ出力する。また、ＡＭＣ制御部２７は、新規パケットを送信する場合、さらに、決定したパケットサイズを誤り検出符号化部１１に出力する。【００４１】
次に端末５０の構成例について説明する。端末５０は、受信アンテナ５１と、無線受信部５２と、第１の復調部５３と、第１の誤り訂正復号化部５４と、第１の誤り検出部５５と、制御情報解析部５６と、第２の復調部５７と、合成部５８と、バッファ５９と、第２の誤り訂正復号化部６０と、第２の誤り検出部６１と、ＣＱＩ生成部６２と、ＡＣＫ／ＮＡＣＫ生成部６３と、変調部６４と、無線送信部６５とを備える。【００４２】
例えば、第１の実施例における受信部２１０は、受信アンテナ５１から誤り検出部６１に対応し、送信部２２０は、ＣＱＩ生成部６２から送信アンテナ６６に対応する。【００４３】
受信アンテナ５１は、基地局１０から送信された無線信号を受信する。【００４４】
無線受信部５２は、受信アンテナ５１で受信した無線信号を、基地局１０における無線送信部１８の入力前の信号に変換して出力する。【００４５】
第１の復調部５３は、無線受信部５２からの出力のうち制御情報を復調する。【００４６】
第１の誤り訂正復号化部５４は、復調された制御情報に対して、誤り訂正を行い、復号化を行う。【００４７】
第１の誤り検出部５５は、第１の誤り訂正復号化部５４から出力された制御情報に対して、誤り検出を行う。【００４８】
制御情報解析部５６は、誤り検出後の制御情報を解析し、制御情報に含まれる変調方式、合成の有無及び合成方法、符号化率をそれぞれ第２の復調部５７、合成部５８、及び誤り訂正復号化部６０に出力する。【００４９】
第２の復調部５７は、無線受信部５２からの出力に対して、制御情報解析部５６からの変調方式に基づいて復調し、合成部５８に出力する。また、第２の復調部５７は、復調後のパケットデータを合成部５８に、復調後のパイロット信号をＣＱＩ生成部６２にそれぞれ出力する。【００５０】
合成部５８は、復調後のパケットデータとバッファ５９に記憶されたパケットデータとを合成し、第２の誤り訂正復号化部６０とバッファ５９に出力する。ただし、合成部５８は、復調後のパケットデータが新規パケットデータのときバッファ５９にパケットデータが記憶されていないため、合成することなく第２の誤り訂正復号化部６０とバッファ５９に出力する。例えば、合成部５８はパケットデータが新規か再送かを、制御情報解析部５６からの合成の有無に基づいて判断する。【００５１】
第２の誤り訂正復号化部６０は、合成部５８から出力されたパケットデータに対して、誤り訂正と復号化を行う。【００５２】
第２の誤り検出部６１は、第２の誤り訂正復号化部６０から出力されたパケットデータに対して、誤り検出を行う。第２の誤り検出部６１は、検出結果をＡＣＫ／ＮＡＣＫ生成部６３に出力する。なお、第２の誤り検出部６１は、誤り検出の結果、誤りがない場合、バッファ５９に記憶されたパケットデータをクリアする。【００５３】
ＣＱＩ生成部６２は、復調後のパイロット信号に基づいて、下り方向のチャネル品質を測定し、品質情報を含むＣＱＩを生成する。【００５４】
ＡＣＫ／ＮＡＣＫ生成部６３は、第２の誤り検出部６１からの出力に基づいて、応答信号（ＡＣＫまたはＮＡＣＫ）を生成する。例えば、ＡＣＫ／ＮＡＣＫ生成部６３は、第２の誤り検出部６１から誤りがない検出結果を得たとき（または正しくパケットデータを受信できたとき）、ＡＣＫを生成する。また、ＡＣＫ／ＮＡＣＫ生成部６３は、誤りがある検出結果を得たとき（または正しくパケットデータを受信できなかったとき）、ＮＡＣＫ（再送要求）を生成する。【００５５】
変調部６４は、ＣＱＩ生成部６２から出力されたＣＱＩ、またはＡＣＫ／ＮＡＣＫ生成部６３から出力されたＡＣＫまたはＮＡＣＫを変調する。【００５６】
無線送信部６５は、変調部６４からの出力に対して増幅等を行い、無線信号に変換する。【００５７】
送信アンテナ６６は、無線送信部６５から出力された無線信号を基地局１０に送信する。端末５０は、ＡＣＫまたはＮＡＣＫ、及びＣＱＩ等を基地局１０に送信する。【００５８】
次に動作について説明する。図４は本第２の実施例における動作例を示すフローチャートである。同図に示すフローチャートは、主に基地局１０のＨＡＲＱ制御部２６とＡＭＣ制御部２７で行われる。【００５９】
処理が開始されると（Ｓ１０）、基地局１０は端末５０から送信されたＣＱＩを受信する（Ｓ１１）。端末５０から受信したＣＱＩは、受信アンテナ２１等を介して、ＡＭＣ制御部２７に出力される。【００６０】
次いで、ＡＭＣ制御部２７は再送パケットの有無を確認する（Ｓ１２）。例えば、ＡＭＣ制御部２７はバッファ１３にパケットデータが記憶されていれば再送パケット有り、そうでなければ再送パケット無しを確認する。【００６１】
ＡＭＣ制御部２７は、再送パケットが無ければ（Ｓ１２で「無」）、新規パケットの有無を確認する（Ｓ１３）。例えば、ＡＭＣ制御部２７は、新規パケットの有無を上位レイヤまたは上位装置からの通知により確認する。【００６２】
ＡＭＣ制御部２７は、新規パケットが有れば（Ｓ１３で「有」）、ＣＱＩに基づいてパケットサイズ、変調方式、符号化率を決定する（Ｓ１４，Ｓ１５）。【００６３】
次いで、基地局１０は決定したパケットサイズ等に基づいて新規パケットを生成し、送信する（Ｓ１６）。【００６４】
一方、ＡＭＣ制御部２７は、新規パケットがなければ（Ｓ１３で「無」）、送信すべきパケットがないため、Ｓ１１の処理を行う。【００６５】
また、ＡＭＣ制御部２７は、再送パケットが有る場合（Ｓ１２で「有」）、Ｓ１５の処理に移行して再送パケットに対する変調、符号化率を決定し、再送パケットが送信される（Ｓ１６）。【００６６】
次いで、基地局１０は端末５０から新規パケットまたは再送パケットに対するＡＣＫまたはＮＡＣＫを受信する（Ｓ１７）。端末５０から送信されたＡＣＫまたはＮＡＣＫは、受信アンテナ２１等を介して、ＡＣＫ／ＮＡＣＫ判定部２４においてＡＣＫまたはＮＡＣＫが判定される。判定結果はＨＡＲＱ制御部２６に出力される。【００６７】
次いで、ＨＡＲＱ制御部２６は、ＡＣＫを受信したとき（Ｓ１８で「Ａｃｋ」）、端末５０は新規パケットまたは再送パケットを誤りなく受信したため、再送パケットを送信することなく、一連の処理を終了し（Ｓ２１）、Ｓ１１の処理に移行する。この場合、例えばＨＡＲＱ制御部２６は、再送しないことをＡＭＣ制御部２７に通知し、ＡＭＣ制御部２７はバッファ１３に記憶された新規パケットまたは再送パケットのデータをクリアする。【００６８】
一方、ＨＡＲＱ制御部２６は、ＮＡＣＫを受信したとき（Ｓ１８で「Ｎａｃｋ」）、再送パケットの再送回数が閾値（規定回数）を超えたか否かを判断する（Ｓ１９）。例えば、ＨＡＲＱ制御部２６はこれまで再送した再送回数と閾値とを記憶し、ＮＡＣＫ受信による再送回数と閾値を比較することで判断できる。ＨＡＲＱ制御部２６は、再送回数に代えて、新規パケットの送信後の経過時間が閾値（規定時間）を超えたか否かにより判断してもよい。【００６９】
ＨＡＲＱ制御部２６は、再送回数が閾値を超えた場合（Ｓ１９でＹｅｓ）、再送パケットを再送することなく、一連の処理を終了する。処理はＳ１１に移行する。【００７０】
一方、ＨＡＲＱ制御部２６は、再送回数が閾値を超えない場合（Ｓ１９でＮｏ）、ＣＱＩ判定部２５から出力されたＣＱＩに基づいて、品質は満足しているか否かを判断する（Ｓ２０）。【００７１】
パケットを送信したときの通信品質がそれ以前の通信品質よりも良い場合に、基地局１０が端末５０からＮＡＣＫを受信した場合、端末５０側で何らかの問題が生じている可能性がある。【００７２】
一方、端末５０の第２の誤り検出部６１は、これまで受信したパケットデータと再送パケットのデータとを合成したものに対して誤り検出を行う。端末５０は、例えば他端末あての新規パケットを誤って受信した場合、新規パケットと再送パケットとを何回合成しても、第２の誤り検出部６１において誤りが検出される。この場合、端末５０は繰り返しＮＡＣＫを送信する。【００７３】
本第２の実施例において、基地局１０は、パケットを送信したときの通信品質がそれ以前の通信品質よりもよい場合に、過剰な通信品質に基づいてパケットが送信されているとして、端末５０からＮＡＣＫを受信し規定回数に達していなくても、再送を行わないようにする。これにより、再送パケットの送信が停止され、本無線通信システム１は、その後の処理の遅延を防止できる。また、本無線通信システム１は無線リソースを有効活用できる。例えば、ＨＡＲＱ制御部２６が品質判定（Ｓ２０）を行う。【００７４】
ＨＡＲＱ制御部２６は、品質判定（Ｓ２０）の処理を、例えば、「実際にパケットを送信したときの伝搬路の品質」と「想定した伝搬路の品質」とを比較することで行う。ＨＡＲＱ制御部２６は、前者の方が後者よりも高い数値のとき、品質は満足できるものとして（Ｓ２０でＹｅｓ）、規定回数に達しなくても再送パケットの送信を停止する（Ｓ２１）。一方、ＨＡＲＱ制御部２６は、後者の方が前者よりも高い数値のとき、品質は満足できないとして（Ｓ２０でＮｏ）、再送パケットを送信する（Ｓ２２）。そして、処理はＳ１１に移行し、基地局１０は上述の処理を繰り返す。【００７５】
図５（Ａ）及び同図（Ｂ）はパケットの送受信例を示す図である。これらの図は２回目の再送パケットで再送が停止される例を示す。【００７６】
基地局１０はパイロット信号を送信する。端末５０のＣＱＩ生成部６２はパイロット信号に基づいてＣＱＩを生成する。生成されたＣＱＩ（１回目のＣＱＩ）は変調部６４等を介して端末５０に送信される。【００７７】
一方、基地局１０は１回目のＣＱＩに基づいて新規パケットを送信する（図４のＳ１１〜Ｓ１６）。基地局１０のＡＭＣ制御部２７は新規パケットのサイズ等を決定し、誤り検出符号化部１１等で誤り検出符号化等の処理が行われて、新規パケットが送信される。【００７８】
端末５０の誤り検出部６１は新規パケットの誤りを検出し、端末５０はＮＡＣＫを送信する。また、端末５０のＣＱＩ生成部６２は、パイロット信号に基づいて新たにＣＱＩ（２回目のＣＱＩ）を生成し、端末５０は当該ＣＱＩを送信する。【００７９】
そして、基地局１０は、ＮＡＣＫを受信し（Ｓ１８で「Ｎａｃｋ」）、規定回数に達していないため（Ｓ１９でＮｏ）、品質は満足するか否かを判断する（Ｓ２０）。例えば、ＨＡＲＱ制御部２６は、１回目のＣＱＩを「想定した伝搬路の品質」、２回目のＣＱＩを「実際にパケットを送信したときの伝搬路の品質」とし、両者を比較する。この場合、１回目のＣＱＩの方が高いため（Ｓ２０でＮｏ）、ＨＡＲＱ制御部２６は再送パケットの送信を指示する（Ｓ２２）。【００８０】
その後、再び、端末５０はパイロット信号に基づいてＣＱＩ（３回目のＣＱＩ）を生成して送信し、正しく再送パケットを受信できなかったためＮＡＣＫを送信する。【００８１】
基地局１０のＨＡＲＱ制御部２６は、品質判定を行う（Ｓ２０）。この例の場合、ＨＡＲＱ制御部２６は、２回目のＣＱＩと３回目のＣＱＩとを合成（または合計）したものを「実際にパケットを送信したときの伝搬路の品質」とし、１回目のＣＱＩを「想定した伝搬路の品質」とし、両者を比較する。【００８２】
この例の場合、ＨＡＲＱ制御部２６は、前者の方が後者よりも高い値のため、品質過剰として、再送を停止する（Ｓ２０でＮｏ，Ｓ２１）。伝搬路の品質が十分で、基地局１０がその品質に基づいて送信パケットを生成し送信しても、例えば端末５０で誤ったパケットの受信によってＮＡＣＫ信号を送信する可能性が高いと考えられるからである。【００８３】
ここで、２回目と３回目のＣＱＩとが合成されるのは、端末５０の第２の誤り検出部６１が、新規パケットと再送パケットとの各データを合成し、合成したデータに基づいて誤り検出をしているためである。【００８４】
図６（Ａ）及び同図（Ｂ）はパケット送受信の他の例を示す図である。図６（Ａ）及び同図（Ｂ）に示す例は３回目の再送パケットの再送が停止される例である。尚、ＣＱＩ＝ＳＮＲ（Signal
to Noise ratio）［ｄＢ］とし、数値を用いて説明する。【００８５】
端末５０はパイロット信号に基づいてＣＱＩ＝２０（１回目のＣＱＩ）を送信する。基地局１０は、ＣＱＩ＝２０に基づいて、ＣＱＩ＝２０で端末５０が受信可能な新規パケットを生成し送信する（Ｓ１１〜Ｓ１６）。【００８６】
端末５０は、新規パケットを正しく受信できなかったためＮＡＣＫを送信する。また、端末５０はパイロット信号に基づいてＣＱＩ＝１５（２回目のＣＱＩ）を送信する。【００８７】
基地局１０は、規定回数に達していないため（Ｓ１９でＮｏ）、品質が満足できるか否かを判定する（Ｓ２０）。ＨＡＲＱ制御部２６は、１回目のＣＱＩ＝２０を「想定した伝搬路の品質」、２回目のＣＱＩ＝１２を「実際にパケットを送信したときの伝搬路の品質」とし、両者を比較する。この場合、前者の方が高い数値のため、ＨＡＲＱ制御部２６は再送パケット（１回目の再送パケット）を送信する（Ｓ２０でＮｏ，Ｓ２２）。【００８８】
図６（Ａ）等の例において、再送パケットは、例えば新規パケットと同じ条件（ＣＱＩ＝２０に対応する変調方式及び符号化率等）で送信される。再送パケットは、新規パケットと異なる条件で送信されてもよい。再送パケットの送信はＡＭＣ制御部２７等により行われる（Ｓ１５，Ｓ１６）。【００８９】
端末５０は、再送パケットを受信したものの、正しく受信できなかったため、ＮＡＣＫを送信する。また、端末５０は、パイロット信号に基づいてＣＱＩ＝１２（３回目のＣＱＩ）を送信する。【００９０】
基地局１０は、ＮＡＣＫを受信し、規定回数に達しないため（Ｓ１８でＮａｃｋ、Ｓ１９でＮｏ）、品質を判定する（Ｓ２０）。ＨＡＲＱ制御部２６は、２回目のＣＱＩ（＝１５）と３回目のＣＱＩ（＝１２）とを合成したものを「実際に送信した伝搬路の品質」とする。合成値Ｘは、例えば、
Ｘ［ｄＢ］＝１０×ｌｏｇ（Ｙ），Ｙ＝１０^（ｘ［ｄＢ］／１０）    ・・・（１）
により求められる。実際に計算すると、合成値Ｘは、１０×ｌｏｇ（１０^（１５／１０）＋１０^（１２／１０））＝１６．７［ｄＢ］となる。【００９１】
一方、基地局１０はＣＱＩ＝２０を条件として、新規パケットと１回目の再送パケットとを送信しており、１回目の再送パケットは新規パケットと比較して３［ｄＢ］強く送信したものと等価である。よって、ＨＡＲＱ制御部２６は、ＣＱＩ＝１７を「想定した伝搬路の品質」とし、「実際にパケットを送信したときの伝搬路の品質」であるＣＱＩ＝１６．７と比較する。この場合、前者の方が後者よりも高い数値のため、ＨＡＲＱ制御部２６は再送を実行する（Ｓ２０でＮｏ，Ｓ２２）。ＡＭＣ制御部２７等は、新規パケットと同様にＣＱＩ＝２０を条件として２回目の再送パケットを生成し送信する。この場合、２回目の再送パケットは新規パケットより４．７［ｄＢ］強いパケットを送信したものと等価である。基地局１０は、ＣＱＩ＝１５．３［ｄＢ］でも端末５０が受信できることを期待して２回目の再送パケットを送信する。【００９２】
端末５０は、２回目の再送パケットを正しく受信できなかったため、ＮＡＣＫを送信する。また、端末５０はパイロット信号に基づいてＣＱＩ＝１３（３回目のＣＱＩ）を送信する。【００９３】
基地局１０は、ＮＡＣＫを受信し（Ｓ１８で「Ｎａｃｋ」）、規定回数に達していないため（Ｓ１９でＮｏ）、品質判定を行う（Ｓ２０）。【００９４】
ＨＡＲＱ制御部２６は、ＣＱＩ＝２０により３回パケットを送信しているため、「想定した伝搬路の品質」をＣＱＩ＝１５．３とする。また、ＨＡＲＱ制御部２６は、「実際にパケットを送信したときの伝搬路の品質」を式（１）に基づいて計算する。計算すると、Ｘ＝１０×（ｌｏｇ（１０^（１５／１０）＋１０^（１２／１０）＋１０^（１３／１０））＝１８．２となる。この場合、「実際にパケットを送信したときの伝搬路の品質」の方が、「想定した伝搬路の品質」よりも高い数値のため、ＨＡＲＱ制御部２６は、品質が過剰として再送を停止する（Ｓ２０でＹｅｓ，Ｓ２１）。【００９５】
図６（Ａ）及び同図（Ｂ）に示す例では、２回目の再送パケットを基地局１０が送信したときの通信品質は、１回目の再送パケット等を基地局１０が送信したときの通信品質よりも良くなっている例である。この場合、基地局１０は、当該通信品質に基づいて再送パケットを送信しており、端末１０側で誤ったパケットを受信していると考え、ＮＡＣＫを受信しても再送パケットを送信しないようにしている。なお、図６（Ａ）等の例で、ＣＱＩ＝ＳＩＲとしたのは一例であり、ＳＩＮＲ（Signal
to Interference and Noise Ratio）、ＣＩＮＲ（Carrier to
Interference plus Noise Ratio）等でもよい。【００９６】
次に他の例について説明する。【００９７】
基地局１０は、例えば再送を停止した場合（Ｓ２０でＹｅｓ，Ｓ２１）、その旨を上位レイヤ（または上位装置）に通知するようにしてもよい。上位レイヤ等も再送パケットのパケットデータを保持しており、当該通知を行うことで、例えば保持したパケットデータをクリア等することができ、処理の効率化を図ることができる。【００９８】
図７は処理の例を示すフローチャート、図８は基地局１０の構成例をそれぞれ示す図である。なお、図８では、上位レイヤの例としてＡＲＱ再送制御部２９を示す。ＡＲＱ再送制御部２９は、３ＧＰＰのＲＬＣ（Radio
Link Control：無線リンク制御）に相当し、例えば、保持したパケットの再送制御以外にも、パケットデータ等のシーケンス番号の管理等を行う。【００９９】
図７に示すように、ＨＡＲＱ制御部２６は、再送回数が規定回数に達していなくても（Ｓ１９でＮｏ）、品質が満足できる場合（Ｓ２０でＹｅｓ）、再送を停止した旨をＡＲＱ再送制御部２９に通知する（Ｓ３０）。そして、ＨＡＲＱ制御部２６は、再送パケットの送信を停止する（Ｓ２１）。【０１００】
他の例として、基地局１０は、再送パケットを新規パケットとして端末５０に送信することもできる。端末５０は、バッファ５９に他の端末あてのパケットデータを誤って記憶している場合に、再送パケットを受信しても、何度もＮＡＣＫを送信する。しかし、端末５０は、新規パケットを受信したとき、第２の誤り検出部６１によりバッファ５９がクリアされることで、誤りのないパケットデータを記憶できる。【０１０１】
図９はかかる例の動作例を示すフローチャートである。例えば、ＡＭＣ制御部２７はＣＱＩを受信（Ｓ１１）後、再送パケットを新規パケットとして送信するときのパケットデータが存在するか否かを確認する（Ｓ４０）。例えば、ＡＭＣ制御部２７はバッファ１３に再送パケットのデータが記憶されていれば、新規パケットが存在する（Ｓ４０で「有」）として、Ｓ１５の処理に移行する。あるいは、ＡＭＣ制御部２７は上位レイヤからの通知により、新規パケットの有無を確認するようにしてもよい。【０１０２】
一方、ＡＭＣ制御部２７は、新規パケットが存在しなければ（Ｓ４０で「無」）、Ｓ１２の処理に移行する。そして、ＨＡＲＱ制御部２６は、品質が満足できる場合（Ｓ２０でＹｅｓ）、再送パケットの送信を停止し、再送パケットを新規パケットして送信する（Ｓ４１）。【０１０３】
また、他の例として、端末５０は、ＣＱＩを求める際に、パケットデータを復調する際に使用したパイロット信号に対して品質を測定し、ＣＱＩとして基地局１０に送信するようにしてもよい。図１０（Ａ）及び同図（Ｂ）はパケットの送受信例を示す図である。【０１０４】
例えば、３ＧＰＰ‐ＬＴＥ（3rd
Generation Partnership Project- Long Term Evolution）システムでは周波数帯域が他の無線通信システムと比較して広く、パイロット信号の送信帯域が複数の周波数領域（図１０（Ａ）の例は５つ）に分割される。この場合、端末５０は、各領域それぞれに対して伝搬路の品質を測定し、それぞれに対応するＣＱＩを生成して、基地局１０に送信する。基地局１０は、各領域の中から最も品質のよいＣＱＩに対応する周波数領域を用いて新規パケットを送信する。端末５０は、新規パケットを受信して、ＣＱＩを測定することになるが、この場合、新規パケットの送信に用いた周波数帯域（図１０（Ａ）中、２番目の領域）のＣＱＩを測定するようにする。これにより、端末５０は一部の周波数帯域に対して品質を測定し、その品質情報をＣＱＩとして送信すればよいため、全帯域について品質を測定する場合と比較して処理の軽減、電力増加防止等を図ることができる。【０１０５】
例えば、基地局１０のＡＭＣ制御部２７はＣＱＩ判定部２５からの判定結果に基づいて、どの周波数グループのＣＱＩが最もよいかを判定し、どのグループを用いたかを示す情報を制御情報に含めることで当該情報が端末５０に送信される。そして、端末５０の制御情報解析部５６は、どのグループを利用したかの情報を、復調部５７を介してＣＱＩ生成部６２に出力し、ＣＱＩ生成部６２は当該情報を利用してＣＱＩを測定する。【０１０６】
＜第３の実施例＞
次に第３の実施例について説明する。第３の実施例は、パケットデータが端末５０から基地局１０方向に向けて送信される上り方向の例である。送信局装置が端末５０、受信局装置が基地局１０である。図１１は端末５０、図１２は基地局１０の構成例を示す図である。【０１０７】
端末５０は、誤り検出符号化部７０と、誤り訂正符号化部７１と、バッファ７２と、第３の変調部７３と、パイロット信号発生部７４と、第４の変調部７５と、無線送信部７６と、送信アンテナ７７と、受信アンテナ８０と、無線受信部８１と、復調部８２と、ＡＣＫ／ＮＡＣＫ判定部８３と、ＨＡＲＱ制御部８４と、ｇｒａｎｔ判定部８５と、ＡＭＣ制御部８６とを備える。【０１０８】
例えば、第１の実施例における送信部１１０は、誤り検出符号化部７０から送信アンテナ７７に対応し、受信部１２０は、受信アンテナ８０からＡＭＣ制御部８６に対応する。【０１０９】
誤り検出符号化部７０は、基地局１０に送信するパケットデータの誤りを検出し、符号化を行う。誤り検出符号化部７０は、パケットデータが新規の場合、当該パケットデータに対してＡＭＣ制御部８６で決定したパケットサイズとなるように出力する。【０１１０】
誤り訂正符号化部７１は、誤り検出が行われたパケットデータに対して、誤りがあれば誤り訂正を行って符号化を行う。ＡＭＣ制御部８６により決定された符号化率で符号化が行われる。【０１１１】
バッファ７２は、誤り訂正がなされたパケットデータを記憶する。記憶されたパケットデータは、ＡＭＣ制御部８６で決定したビットパターンに従って、バッファ７２から読みだされる。【０１１２】
第３の変調部７３は、バッファ７２から読み出されたパケットデータを変調する。第３の変調部７３は、ＡＭＣ制御部８６で決定した変調方式に基づいてパケットデータを変調する。【０１１３】
パイロット信号発生部７４は、端末５０から送信するパイロット信号を生成する。【０１１４】
第４の変調部７５は、パイロット信号を変調する。【０１１５】
無線送信部７６は、第３の変調部７３からのパケットデータと、第４の変調部７５からのパイロット信号とを、ＡＭＣ制御部８６で決定した送信電力に従って増幅等を行い、無線信号に変換する。【０１１６】
送信アンテナ７７は、無線信号を基地局１０に送信する。【０１１７】
受信アンテナ８０は、基地局１０から送信された無線信号を受信する。無線信号には、ＡＣＫまたはＮＡＣＫと、ｇｒａｎｔとを含む。ｇｒａｎｔは、上り方向のパケットデータに対する、パケットサイズ、変調方式、符号化率、送信ビットパターン等の各情報を含む。【０１１８】
無線受信部８１は、基地局１０において無線信号変換前の信号に変換する。【０１１９】
復調部８２は、無線受信部８１の出力を復調し、復調されたＡＣＫまたはＮＡＣＫをＡＣＫ／ＮＡＣＫ判定部８３、復調されたｇｒａｎｔをｇｒａｎｔ判定部８５に出力する。【０１２０】
ＡＣＫ／ＮＡＣＫ判定部８３は、復調部８２から出力されたものがＡＣＫか、ＮＡＣＫかを判定し、判定結果をＨＡＲＱ制御部８４に出力する。【０１２１】
ＨＡＲＱ制御部８４は、ＡＣＫ／ＮＡＣＫ判定部８３からＡＣＫを入力したときは、新規パケットの送信をＡＭＣ制御部８６に指示し、ＮＡＣＫを入力したときはパケットの再送をＡＭＣ制御部８６に指示する。【０１２２】
ｇｒａｎｔ判定部８５は、ｇｒａｎｔに含まれるパケットサイズ等の情報を取り出し、ＡＭＣ制御部８６に出力する。【０１２３】
ＡＭＣ制御部８６は、ＨＡＲＱ制御部８４から新規パケットの送信が指示されたとき、ｇｒａｎｔ判定部８５からのパケットサイズを誤り検出符号化部７０に出力し、符号化率、送信ビットパターン、変調方式をそれぞれ誤り訂正符号化部７１、バッファ７２、第３の変調部７３に出力する。また、ＡＭＣ制御部８６は、ＨＡＲＱ制御部８４から再送パケットの送信が指示されたとき、ｇｒａｎｔ判定部８５からの符号化率等を誤り訂正符号化部７１等に出力する。バッファ７２は、例えばＡＭＣ制御部８６からの指示があるまで、再送パケットのデータを送信するためにパケットデータを記憶する。【０１２４】
基地局１０は、受信アンテナ３２と、無線受信部３３と、復調部３４と、合成部３５と、バッファ３６と、誤り訂正復号化部３７と、誤り検出部３８と、品質測定部３９と、ｇｒａｎｔ生成部４０と、ＡＣＫ／ＮＡＣＫ生成部４１と、変調部４２と、無線送信部４３と、送信アンテナ４４とを備える。【０１２５】
例えば、第１の実施例における受信部２１０は、受信アンテナ３２から誤り検出部３８に対応し、制御部２３０は品質測定部３９、送信部２２０はｇｒａｎｔ生成部４０から送信アンテナ４４にそれぞれ対応する。【０１２６】
受信アンテナ３２は、端末５０から送信された無線信号を受信する。無線信号は、新規パケットまたは再送パケットのパケットデータ、またはパイロット信号等を含む。【０１２７】
無線受信部３３は、受信アンテナ３２からの無線信号を、端末５０における無線信号変換前のデータ等に変換する。【０１２８】
復調部３４は、無線受信部３３からの出力を復調し、復調後のパケットデータを合成部３５に、復調後のパイロット信号を品質測定部３９にそれぞれ出力する。復調部３４は、品質測定部３９で決定された変調方式に基づいて復調を行う。【０１２９】
合成部３５は、復調されたパケットデータが新規パケットのデータの場合、当該データをバッファ３６と誤り訂正復号化部３７に出力する。また、合成部３５は、復調されたパケットデータが再送パケットのデータの場合、当該データとバッファ３６に記憶されたパケットデータとを合成して誤り訂正復号化部３７とバッファ３６に出力する。合成部３５は、品質測定部３９で決定された合成方法等により合成が行われる。【０１３０】
バッファ３６は、合成部３５から出力されたパケットデータを記憶する。記憶されたパケットデータは、誤り検出部３８により誤りがないことが検出されるとクリアされる。【０１３１】
誤り訂正復号化部３７は、合成部３５から出力されたパケットデータに対して、誤り訂正を行い復号化する。誤り訂正復号化部３７は、品質測定部３９で決定した符号化率に基づいて復号を行う。【０１３２】
誤り検出部３８は、復号後のパケットデータに誤りがあるか否かを検出する。例えば、誤り検出部３８は、誤り訂正復号化部３７で誤り訂正が行われた場合、当該パケットデータに誤りがあると判定し、そうでない場合、誤りがないと判定する。誤り検出後のパケットデータは基地局１０の他の処理部に出力される。【０１３３】
品質測定部３９は、復調されたパイロット信号に基づいて、上り方向の品質を測定し、ＣＱＩ相当の品質情報を生成する。品質測定部３９は、例えば、この品質情報により上り方向の通信品質を推定する。そして、品質測定部３９は、品質情報に基づいて、端末５０がパケットを送信するときの変調方式、符号化率、パケットサイズ等を決定し、これらの情報を、復調部３４、誤り訂正復号化部３７に出力するとともに、ｇｒａｎｔ生成部４０に出力する。また、品質測定部３９は、品質情報と、誤り検出部３８からの検出結果とに基づいて、第２の実施例と同様に品質判定を行う。品質判定の詳細は後述する。品質測定部３９は、品質測定の結果、再送要求の有無をＡＣＫ／ＮＡＣＫ生成部４１に指示する。品質測定部３９は再送を制御する制御部でもある。【０１３４】
ｇｒａｎｔ生成部４０は、品質測定部３９からの情報に基づいてｇｒａｎｔを生成する。上述したように、ｇｒａｎｔにはパケットサイズ、変調方式、符号化率等が含まれる。【０１３５】
ＡＣＫ／ＮＡＣＫ生成部４１は、品質測定部３９からの指示に基づいて、ＡＣＫまたはＮＡＣＫを生成する。ＡＣＫ／ＮＡＣＫ生成部４１は、例えば、品質測定部３９から再送要求無しの指示を得た場合、ＡＣＫを生成する。また、ＡＣＫ／ＮＡＣＫ生成部４１は、例えば、品質測定部３９から再送要求有りの指示を得た場合、ＮＡＣＫを生成する。【０１３６】
変調部４２は、ＡＣＫ／ＮＡＣＫ生成部４１からのＡＣＫまたはＮＡＣＫ、あるいはｇｒａｎｔ生成部４０からのｇｒａｎｔを変調する。【０１３７】
無線送信部４３は、変調後のＡＣＫ等を増幅等し、無線信号に変換する。送信アンテナ４４は、無線信号を送信する。【０１３８】
次に動作について説明する。図１３は本第３の実施例における動作例を示し、主に基地局１０の品質測定部３９等で行われる。【０１３９】
処理が開始されると（Ｓ５０）、基地局１０は端末５０から送信されたパイロット信号を受信し、品質測定部３９はパイロット信号に基づいてＣＱＩ相当の品質情報を演算する（Ｓ５１）。【０１４０】
次いで、品質測定部３９は、誤り検出部３８からの誤り検出結果に基づいて再送要求の有無を判定する（Ｓ５２）。例えば、品質測定部３９は、検出結果が誤りありの場合、再送要求ありと判定し、検出結果が誤りなしの場合、再送要求なしと判定する。【０１４１】
品質測定部３９は、再送要求無しの場合（Ｓ５２で「無」）、新規パケットの有無を判定する（Ｓ５３）。例えば、品質測定部３９はバッファ３６に新規パケットのデータが記憶されていれば新規パケット有りと判定し、そうでない場合、新規パケット無しと判定する。新規パケット無しの場合（Ｓ５３で「無」）、処理はＳ５１に移行する。【０１４２】
品質測定部３９は、新規パケット有りの場合（Ｓ５３で「有」）、ＣＱＩ相当の品質情報に基づいてパケットサイズを決定し（Ｓ５４）、変調方式及び符号化率を決定する（Ｓ５５）。【０１４３】
一方、品質測定部３９は、再送要求が有る場合（Ｓ５２で「有」）、Ｓ５４の処理を行うことなくＳ５５の処理を行う。【０１４４】
次いで、ｇｒａｎｔ生成部４０はパケットサイズ、変調方式、及び符号化率等の各情報を含むｇｒａｎｔを生成し、変調部４２等を介して端末５０に送信する（Ｓ５６）。【０１４５】
端末５０はｇｒａｎｔに基づいて新規パケットまたは再送パケットを生成し基地局１０に送信する。【０１４６】
基地局１０は、端末５０から送信された新規パケットまたは再送パケットの各データを受信する（Ｓ５７）。受信したデータは、無線受信部３３等を経由して合成部３５に出力される。合成部３５はバッファ３６にパケットデータが記憶されていれば合成して出力し、記憶されていなければパケットデータを出力する。パケットデータは、誤り訂正復号化部３７を介して誤り検出部３８に出力される。【０１４７】
次いで、誤り検出部３８は、受信したパケットデータに誤りがあるか否かを検出する（Ｓ５８）。誤り検出部３８は、パケットデータに誤りがないことを検出した場合（Ｓ５８で「正」）、バッファ３６に記憶されたパケットデータをクリアし、誤りがない旨をＡＣＫ／ＮＡＣＫ生成部４１に出力する。そして、ＡＣＫ／ＮＡＣＫ生成部４１はＡＣＫを生成し、変調部４２等を介して端末５０に送信する（Ｓ６１）。【０１４８】
一方、誤り検出部３８は、パケットデータに誤りがあることを検出すると（Ｓ５８で「誤」）、その旨を品質測定部３９に通知し、品質測定部３９は再送回数が閾値（規定回数）を超えているか否かを判定する（Ｓ５９）。品質測定部３９は再送回数に代えて新規パケットを受信後（またはＮＡＣＫを送信後）等の経過時間をカウントし閾値（規定時間）を超えたか否かを判定してもよい。【０１４９】
品質測定部３９は、再送回数が閾値を超えた場合（Ｓ５９でＹｅｓ）、ＡＣＫの生成をＡＣＫ／ＮＡＣＫ生成部４１に指示し、基地局１０からＡＣＫが送信される（Ｓ６１）。再送回数等は、例えば品質測定部３９がＡＣＫ／ＮＡＣＫ生成部４１に指示した回数等をカウントするようにしてもよい。【０１５０】
一方、品質測定部３９は、再送回数が閾値を超えていない場合（Ｓ５９でＮｏ）、品質を判定する（Ｓ６０）。品質測定部３９は、第２の実施例のＨＡＲＱ制御部２６と同様に、「想定した伝搬路の品質」と「実際にパケットを送信したときの伝搬路の品質」とを比較する。【０１５１】
例えば、過剰な品質に基づいて端末５０からパケットデータが送信されているにも関わらず、基地局１０で正常に受信していないのは、基地局１０のバッファ３６に誤ったパケットデータ（他の基地局あてのデータ等）が記憶されている可能性が高い。合成部３５によりこれまで受信したパケットデータと再送パケットとが合成され、誤り検出部３８は、合成されたデータに対して誤り検出を行う。例えば、基地局１０が受信した新規パケットデータが誤ったデータのとき、再送パケットが高品質で端末５０から送信されても、基地局１０は再送要求を繰り返す。【０１５２】
そこで、品質測定部３９は、「実際にパケットを送信したときの伝搬路の品質」が「想定した伝搬路の品質」よりも高いとき、過剰な品質によりパケットが送信されているとして、規定回数に達していなくても再送要求を停止する。規定回数に達するまで再送要求を繰り返す場合と比較して、本無線通信システム１は、遅延時間の増大を防止でき、また無線リソースを有効活用できる。【０１５３】
なお、品質測定部３９は、ＣＱＩ相当の品質情報を生成しているため、この品質情報をＣＱＩ相当の値として、「想定した伝搬路の品質」と「実際にパケットを送信したときの伝搬路の品質」とを演算する。【０１５４】
一方、品質測定部３９は、「想定した伝搬路の品質」の方が「実際にパケットを送信したときの伝搬路の品質」よりも高いとき（Ｓ６０でＮｏ）、ＮＡＣＫの生成をＡＣＫ／ＮＡＣＫ生成部４１に指示する（Ｓ６２）。その後、処理はＳ５１に移行し、上述した処理を繰り返す。【０１５５】
図１４（Ａ）及び同図（Ｂ）はパケット等の送受信例を示す図である。これらの図に示す例は、３回目の再送パケットの送信が停止される例を示す。【０１５６】
端末５０のパイロット信号発生部７４は、パイロット信号を生成し基地局１０に送信する。【０１５７】
基地局１０はパイロット信号を受信し、品質測定部３９は、受信したパイロット信号に基づいてＣＱＩ相当の品質情報を演算する（図１３のＳ５１）。【０１５８】
品質測定部３９は、誤り検出部３８から再送要求もなく（Ｓ５２で「無」）、バッファ３６にパケットデータが記憶されていないため、新規パケット有りとし（Ｓ５３で「有」）、ＣＱＩ相当の品質情報（１回目）に基づいてパケットサイズ等を決定する。（Ｓ５４〜Ｓ５５）。ｇｒａｎｔ生成部４０は決定したパケットサイズ等を含むｇｒａｎｔ（１回目）を生成し、送信する（Ｓ５６）。【０１５９】
端末５０は、ｇｒａｎｔに含まれるパケットサイズ、符号化率等に基づいて新規パケットを生成し、基地局１０に送信する。【０１６０】
基地局１０は、新規パケットと、端末５０が新規パケットを送信したときのパイロット信号とを受信する。品質測定部３９は、当該パイロット信号に基づいてＣＱＩ相当の品質情報（２回目）を生成し、変調方式等も決定する（Ｓ５１〜Ｓ５２、Ｓ５５）。ｇｒａｎｔ生成部４０はｇｒａｎｔ（２回目のｇｒａｎｔ）を生成し、端末５０に送信する（Ｓ５６）。【０１６１】
品質測定部３９は、誤り検出部３８により新規パケットの誤りが検出され（Ｓ５８で「誤」）、再送回数が閾値（規定回数）に達していないため（Ｓ５９でＮｏ）、品質判定を行う（Ｓ６０）。【０１６２】
品質測定部３９は１回目のＣＱＩ相当の品質情報を「想定した伝搬路の品質」、２回目のＣＱＩ相当の品質情報を「実際にパケットを送信したときの伝搬路の品質」とし、第２の実施例と同様に両者を比較する。この場合、品質測定部３９は、前者の方が後者よりも高い数値のため（Ｓ６０でＮｏ）、ＡＣＫ／ＮＡＣＫ生成部４１に再送要求を指示する（Ｓ６２）。基地局１０からは、ＮＡＣＫと２回目のｇｒａｎｔとが端末５０に送信される。【０１６３】
端末５０は、２回目のｇｒａｎｔに基づいて再送パケットに対して変調等を行い、再送パケット（１回目）を送信する。【０１６４】
基地局１０は、再送パケット（１回目）を受信し、端末５０が再送パケットを送信したときのパイロット信号も受信する。品質測定部３９は、当該パイロット信号に基づいてＣＱＩ相当の品質情報（３回目）を生成し、変調方式等を決定する（Ｓ５１〜Ｓ５２，Ｓ５５）。また、ｇｒａｎｔ生成部４０は、ｇｒａｎｔ（３回目）を生成し端末５０に送信する（Ｓ５６）。【０１６５】
また、品質測定部３９は、再送パケットに誤りがあり（Ｓ５８で「誤」）、再送回数が規定回数に達していないため（Ｓ５９でＮｏ）、品質判定を行う（Ｓ６０）。【０１６６】
品質測定部３９は、例えば、１回目のＣＱＩ相当の品質情報を「想定した伝搬路の品質」、２回目と３回目のＣＱＩ相当の品質情報を合成したものを「実際にパケットを送信したときの伝搬路の品質」として、両者を比較する。品質情報の合成は、例えば第２の実施例と同様に式（１）を用いる。品質情報を合成しているのは、誤り検出部３８での誤り検出が合成部３５で合成されたデータに基づいて行われるからである。この例では、前者の方が後者より高いため（Ｓ６０でＮｏ）、品質測定部３９は再送要求（２回目）を指示する（Ｓ６２）。【０１６７】
基地局１０は、ＮＡＣＫ（２回目）と、３回目のｇｒａｎｔとを端末５０に送信する。【０１６８】
端末５０は、３回目のｇｒａｎｔに基づいて再送パケット（２回目）に対して変調等を行い、基地局１０に送信する。【０１６９】
基地局１０は、再送パケットを受信し、端末５０が当該再送パケットを送信したときのパイロット信号も受信する。品質測定部３９は、当該パイロット信号に基づいて、ＣＱＩ相当の品質情報（４回目）を生成する（Ｓ５１）。ｇｒａｎｔ生成部４０はｇｒａｎｔ（４回目）を生成し、基地局１０に送信する（Ｓ５２，Ｓ５５〜Ｓ５６）。【０１７０】
また、品質測定部３９は、再送パケットに誤りがあり（Ｓ５８で「誤」）、再送回数が規定回数に達していないため（Ｓ５９でＮｏ）、品質判定（Ｓ６０）を行う。【０１７１】
この場合、品質測定部３９は、例えば、１回目のＣＱＩ相当の品質情報を「想定した伝搬路の品質」、２〜４回目のＣＱＩ相当の品質情報を合成したものを「実際にパケットを送信したときの伝搬路の品質」として両者を比較する。この場合、後者の方が前者よりも高いため、品質測定部３９は、品質は過剰として、再送要求を行うことなくＡＣＫ送信を指示する（Ｓ６０でＹｅｓ，Ｓ６１）。例えば、この場合に品質測定部３９はバッファ３６をクリアにするようにしてもよい。基地局１０からはＡＣＫが送信される。品質判定については、１〜３回目のＣＱＩ相当の品質情報を合成したものが「想定した伝搬路の品質」としてもよい。【０１７２】
端末５０は、ＡＣＫが返送されたため、再送パケットの送信を停止する。【０１７３】
本第３の実施例においても、基地局１０は、図１５に示すように、再送要求を行わないことを上位レイヤ（または上位装置）４５に通知してもよい。また、品質測定部３９は、分割された周波数帯域のうち、端末５０がパケットを送信するときに用いた周波数帯域を用いて品質情報を生成するようにしてもよい（図１０）。
【図１】
2010109524.tif 000003
【図２】
2010109524.tif 000004
【図３】
2010109524.tif 000005
【図４】
2010109524.tif 000006
【図５】
2010109524.tif 000007
【図６】
2010109524.tif 000008
【図７】
2010109524.tif 000009
【図８】
2010109524.tif 000010
【図９】
2010109524.tif 000011
【図１０】
2010109524.tif 000012
【図１１】
2010109524.tif 000013
【図１２】
2010109524.tif 000014
【図１３】
2010109524.tif 000015
【図１４】
2010109524.tif 000016
【図１５】
2010109524.tif 000017
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
送信局装置と受信局装置との間で無線通信を行う無線通信システムにおいて、
前記送信局装置は、
パケットデータを前記受信局装置に送信する送信部と、
前記パケットデータが正しく受信できなかったことを示す応答信号を前記受信局装置から受信する受信部とを備え、  
前記受信局装置は、
前記パケットデータを受信する受信部と、
前記パケットデータを正しく受信できなかったとき前記応答信号を生成して前記送信局装置に送信する送信部とを備え、
前記送信局装置または前記受信局装置は、前記パケットデータをそれぞれ送信または受信したときの通信品質を推定し、推定した前記通信品質が所要品質よりも高いとき、それぞれ前記応答信号を受信したときまたは正しく前記パケットデータを受信できないときでも前記パケットデータの再送を行わないように制御する制御部を備えることを特徴とする無線通信システム。
【請求項２】
前記制御部は、前記パケットデータに対するＡＭＣパラメータ（Adaptive Modulation Control）を決定するための品質情報に基づいて、前記通信品質を推定することを特徴と
する請求項１記載の無線通信システム。  
【請求項３】
前記制御部は、前記パケットデータの再送を行わないことを上位レイヤに通知することを特徴とする請求項１記載の無線通信システム。  
【請求項４】
前記制御部は、前記再送を行わないパケットデータを新規パケットデータとして送信させるよう前記送信部を制御することを特徴とする請求項１記載の無線通信システム。
【請求項５】
前記送信局装置の送信部は、既知信号を送信し、
前記受信局装置の受信部は、前記既知信号を受信し、
前記受信局装置の送信部は、前記パケットデータを復調したときに用いた周波数帯域における既知信号を利用して品質情報を生成し、当該品質情報を前記送信局装置に送信し、
前記制御部は、前記品質情報に基づいて前記通信品質を推定することを特徴とする請求項１記載の無線通信システム。
【請求項６】
前記制御部は、これまでに送信した前記パケットデータの通信品質の合計により、前記通信品質を推定することを特徴とする請求項１記載の無線通信システム。
【請求項７】
前記制御部は、新規パケットのパケットデータを送信したときの通信品質を前記所要品質として推定することを特徴とする請求項１記載の無線通信システム。
【請求項８】
受信局装置との間で無線通信を行う送信局装置において、
パケットデータを前記受信局装置に送信する送信部と、
前記パケットデータが正しく受信できなかったことを示す応答信号を前記受信局装置から受信する受信部と、
前記パケットデータを送信したときの通信品質を推定し、推定した前記通信品質が所要品質よりも高いとき、前記応答信号を受信したときでも前記パケットデータの再送を行わないように制御する制御部と  
を備えることを特徴とする送信局装置。
【請求項９】
送信局装置との間で無線通信を行う受信局装置において、
前記送信局装置から送信されたパケットデータを受信する受信部と、
前記パケットデータを正しく受信できなかったとき前記応答信号を生成して前記送信局装置に送信する送信部と、
前記パケットデータを受信したときの通信品質を推定し、推定した前記通信品質が所要品質よりも高いとき、前記パケットデータを正しく受信できなかったときでも前記パケットデータの再送を行わないように制御する制御部と
を備えることを特徴とする受信局装置。
【請求項１０】
送信局装置と受信局装置との間で無線通信を行う無線通信システムにおける無線通信方法であって、
前記送信局装置は、パケットデータを前記受信局装置に送信し、
前記受信局装置は、前記パケットデータを正しく受信できなかったとき、正しく受信できなかったことを示す応答信号を生成して前記送信局装置に送信し、
前記送信局装置は、前記応答信号を前記受信局装置から受信し、
前記送信局装置または前記受信局装置は、前記パケットデータをそれぞれ送信または受信したときの通信品質を推定し、推定した前記通信品質が所要品質よりも高いとき、それぞれ前記応答信号を受信したときまたは正しく前記パケットデータを正しく受信できないときでも前記パケットデータの再送を行わないように制御する、
ことを特徴とする無線通信方法。
【国際調査報告】
2010109524.tif 000018
2010109524.tif 000019
2010109524.tif 000020